(57)【要約】【課題】  不用意に身体をぶつける等して接触しても安全で、かつ任意の高さ位置でドアの開閉操作ができるドア取っ手を提供する。【解決手段】ドア取っ手は、開き戸に取り付けられた取付部と、この取付部に上下左右にそれぞれ間隔をおいて設けられた弾性材からなる複数個の操作部とを備え、各操作部は、取付部から突出する脚部と、この脚部の先端に形成された膨出部とからなる。そして、操作部を把握して開き戸を引き開いたり、もしくは操作部を押圧して開き戸を押し開く。【選択図】  図５
2005273263.tif 000002
【特許請求の範囲】
【請求項１】
開き戸に取り付けられた取付部と、この取付部に上下左右にそれぞれ間隔をおいて設けられた弾性材からなる複数個の操作部とを備え、各操作部は、取付部から突出する脚部と、この脚部の先端に形成された膨出部とからなり、操作部を把握して引き開き、もしくは操作部を押圧して押し開くことを特徴とするドア取っ手。
【請求項２】
引き戸に取り付けられた取付部と、この取付部から少なくとも上下に突設された弾性材からなる複数個の操作部とを備え、各操作部に手を添えて引き戸を開閉することを特徴とするドア取っ手。
【発明の詳細な説明】
【技術分野】
【０００１】
本発明は、住宅、学校、病院や老人ホーム等の建物のドアに使用されるドア取っ手に関する。
【背景技術】
【０００２】
従来からドア取手として、例えば握り玉を備えたドアノブやＬ字形状のレバーからなるドアノブが知られている。そして、これらドアノブは金属製であるものがほとんどであるため、ドアノブに身体をぶつけて怪我をしないように、軟質材からなるドアノブカバーが開発されており、かかるドアノブカバーを握り玉やレバーに被せて使用する場合もある（例えば、特許文献１参照）。
【特許文献１】特開平９−８８４１４号公報
【発明の開示】
【発明が解決しようとする課題】
【０００３】
前記ドアノブカバーをドアノブに被せた場合であっても、ドアノブを把握するためには、ドアノブカバーを厚くすることができず、また、ドアノブ自体が金属製で剛性を有しているため、十分に危険を解消できるものではなかった。
【０００４】
また、ドアノブは、単体のものがドアの所定の高さ位置（標準身長に設定された高さ位置）に取り付けられているため、例えば、身長の大きい使用者や、老人および子供のように身長の小さい使用者にとって、必ずしも最適な高さで使用できるものではなかった。
【０００５】
本発明は、身体をぶつける等して接触しても安全で、かつ任意の高さ位置でドアの開閉操作ができるドア取っ手を提供することを課題とする。
【課題を解決するための手段】
【０００６】
本発明は、前記課題を解決するためになされたもので、第１の手段は、開き戸に取り付けられた取付部と、この取付部に上下左右にそれぞれ間隔をおいて設けられた弾性材からなる複数個の操作部とを備え、各操作部は、取付部から突出する脚部と、この脚部の先端に形成された膨出部とからなり、少なくとも単一の操作部を把握もしくは押圧して開き戸を押し引きすることにある。
【０００７】
なお、操作部は、引っ張り強度等の補強を目的とした芯部を埋設した場合と、芯部を設けない場合との両方を含み、芯部を埋設した場合には、操作部および芯部全体で曲げ方向に弾性変形ができる構成であればよい。
【０００８】
第２の手段は、引き戸に取り付けられた取付部と、この取付部から少なくとも上下に突設された弾性材からなる複数個の操作部とを備え、各操作部に手を添えて引き戸を開閉することにある。
【０００９】
そして、各手段に係るドア取っ手は、操作部が弾性材からなるので、身体が不用意にぶつかった場合に弾性変形するため、そのときの衝撃で怪我をすることがない。また、各操作部は、上下左右に複数個設けられているため、使用者は、自己の身長および手の大きさに応じて最適な高さの操作部を単一もしくは複数個使用することができる。
【発明の効果】
【００１０】
本発明のドア取っ手は、身体をぶつけても操作部自体が弾性変形するため安全であり、しかも、最適な高さ位置の操作部を使用してドアの開閉できるといった効果を奏する。
【発明を実施するための最良の形態】
【００１１】
以下、本発明の実施の形態について、図面を参照して説明する。
【００１２】
図１〜図７は、本発明の実施の形態１を示す。図７において、１Ａは建物内を区画する壁２に形成された出入口３を開閉する開き戸を示す。なお、開き戸１Ａは、一端側が図示省略の蝶番で壁２の額縁に連結されているとともに、ドアクローザーにより自動的に閉じるようになっている。開き戸１Ａの引き側の一面には、引き用のドア取っ手５Ａが取り付けられ、押し側の他面には、押し用のドア取っ手５Ｂが取り付けられている。
【００１３】
引き用のドア取っ手５Ａは、図１、図２および図４に示す如く、開き戸１Ａの一面に接着剤またはビス等の固定具で固定された平板状の取付部６と、この取付部６の略全面に設けられた複数個の操作部７とを備えている。
【００１４】
取付部６は、図２（ｂ）に示す如く正面視矩形状に成形され、例えば、横方向の長さＬ１が１５０ｍｍ〜２００ｍｍで、縦方向の長さＬ２が２００ｍｍ〜２５０ｍｍに設定されている。しかも、取付部６は、図２（ａ）に示す如く、その厚さｔが例えば５ｍｍ〜１０ｍｍに設定されている。取付部６の一面には、取付部６に対して直角方向に複数の芯部８が、上下左右方向に所定の間隔をおいて一体的に突設されている。
【００１５】
各操作部７は、前記芯部８の基部から略先端部まで被覆する小径の脚部７ａと、この脚部７ａの先端から球状に成形された膨出部７ｂとからなり、各芯部８は、前記操作部７内に埋設され、芯部８の先端部は、膨出部７ｂの中心Ｏまで臨んでいる。各脚部７ａの直径Ｄ１は略５ｍｍに設定され、膨出部７ｂの直径Ｄ２は、例えば、パチンコ玉の直径に相当する略１１ｍｍに設定され、取付部６の表面から膨出部７ｂの中心Ｏまでの長さＬ３は、例えば１３５ｍｍ〜１５５ｍｍに設定されている。
【００１６】
各操作部７は、開き戸１Ａを開く際に握って引っ張られるため、適度の引っ張り強度と、手触り感と、曲げ方向の弾性変形と、握っていない通常時に水平方向の姿勢を維持する復元力が要求される。従って、操作部７がこのような条件を満足できるように、芯部８は、十分な引っ張り強度と、曲げ方向の適度な弾性力と、曲げ力に抗する復元力を有する材料が選定される。具体的には、取付部６および各芯部８は、例えば、弾性材としてのエラストマーにより一体成形されている。エラストマーは、ゴムまたは熱可塑性エラストマー樹脂を主体とするもので、熱可塑性エラストマー樹脂としては、熱可塑性ポリエステル系エラストマー樹脂、熱可塑性ウレタン系エラストマー樹脂、熱可塑性スチレン系エラストマー樹脂、熱可塑性オレフィン系エラストマー樹脂を挙げることができる。
【００１７】
また、操作部７は、前記エラストマー等の弾性材から成形され、取付部６および芯部８よりも軟質で耐老化性に優れた例えばクロロプレンゴムを採用するのが好ましい。なお、操作部７自体に引っ張り強度と曲げ力に抗する復元力を備えさせることも可能である。
【００１８】
前記押し用のドア取っ手５Ｂも前記引き用のドア取っ手５Ａと同様に、取付部６、芯部８および操作部７を備えている。従って、引き用のドア取っ手５Ａと同一部材は同一符号を付して各部材の説明は省略する。
【００１９】
押し用のドア取っ手５Ｂは、操作部７が開き戸１Ａの開放時に押圧されるため、操作部７に適度の腰と手触り感が要求される。このため、取付部６の表面から膨出部７ｂの中心Ｏまでの長さＬ３が、引き用のドア取っ手５Ａのそれよりも短くなっており、例えば、５０ｍｍ〜６０ｍｍに設定されている。
【００２０】
次に、前記引き用のドア取っ手５Ａおよび押し用のドア取っ手５Ｂが取り付けられた開き戸１Ａを開閉操作する場合について説明する。先ず、開き戸１Ａを押し開く場合には、図５および図６（ａ）に示す如く、使用者は手（掌）１０で押し用のドア取っ手５Ｂの操作部７の膨出部７ｂを押圧する。操作部７は、押圧力により湾曲するとともに、膨出部７ｂは軟質の素材から成形されているので、手１０を勢いよく当接させても衝撃が緩和され手触り感は良好である。また、操作部７は、取付部６の略全面に複数個設けられているので、使用者は、自己の最適な任意の高さ位置の複数個の操作部７を、掌全体で安定して押すことができる。
【００２１】
次に、開き戸１Ａを引き開く場合には、図５および図６（ｂ）に示す如く引き用のドア取っ手５Ａの操作部７の脚部７ａを把握して引くことができる。このとき把握されない他の操作部７は、手１０で容易に湾曲され邪魔になることはなく、所定個数の操作部７を容易に把握することができる。把握する操作部７は単一であっても複数個であってもよく、使用者の身長や手の大きさに応じて、最適な任意の高さ位置で最適な個数の操作部７を選択して握ることができる。特に握力の弱い高齢者、障害者や子供であっても、操作部７は膨出成形された膨出部７ｂを有するので、この膨出部７ｂがストッパの機能を有し、把握された操作部７が掌から抜け出るのを防止する。
【００２２】
図８および図９は、前記実施の形態１の変形例を示す。本変形例のドア取っ手５Ａ、５Ｂは、引き用および押し用ともに同一のものが使用される。なお、実施の形態１のドア取っ手と同一部材は同一符号を付して各部材の説明は省略する。
【００２３】
本変形例のドア取っ手５Ａ、５Ｂは、実施の形態１のドア取っ手に比し、操作部７の脚部７ａおよび膨出部７ｂの直径Ｄ１、Ｄ２が、実施の形態１のそれぞれの直径の略３倍に形成されている。例えば、膨出部７ｂの直径Ｄ１は、略６０ｍｍでビリヤードのボールの直径に相当する。
【００２４】
また、操作部７の個数は、実施の形態１よりも少なくなっており、操作部７は、容易に弾性変形して把握できるように実施の形態１のものよりも軟質の材料から成形されている。しかも、本変形例のドア取っ手５Ａ、５Ｂは、実施の形態１の押し用のドア取っ手５Ｂに比し、取付部６の表面から膨出部７ｂの中心Ｏまでの長さＬ３は、小さくなっている。
【００２５】
そして、開き戸１Ａを押し開く場合には、図９に示す如く、押し用のドア取っ手５Ｂの複数個の操作部７の膨出部７ｂを手１０で押圧する。開き戸１Ａを引き開く場合には、引き用のドア取っ手５Ａの単一の操作部７の膨出部７ｂを把握して引く。
【００２６】
図１０〜図１２は、本発明の実施の形態２のドア取っ手を示す。本実施の形態２のドア取っ手５Ｃは、引き戸１Ｂに使用され、引き戸１Ｂの一面側および他面側にそれぞれ同一のものが使用されている。なお、実施の形態１のドア取っ手と同一部材は同一符号を付して各部材の説明は省略する。
【００２７】
本実施の形態のドア取っ手５Ｃ、５Ｃは、操作部７が脚部７ａを有することなく、膨出部７ｂのみで構成したもので、膨出部７ｂが取付部６から直接に突設されている。
【００２８】
各膨出部７ｂの直径Ｄ２は、手１０を添えて引き戸１Ｂを開閉方向に移動できる程度の大きさ、すなわち、前記変形例のドア取っ手の膨出部７ｂの直径よりもさらに大きく（１８０ｍｍ〜２００ｍｍ）設定され、例えば、ハンドボールの直径に相当するのが好ましい。また、操作部７は、前記変形例のものよりも、軟質の材料から成形され、かつ操作部７の個数は少なくなっている。操作部７は、左右方向に複数個設けたものを例示したが、単列であってもよい。前記芯部８の先端には、膨出部７ｂが脱落するのを防止すべく、膨出部７ｂと同心の膨出部８ａが形成されている。
【００２９】
本実施の形態２のドア取っ手５Ｃ、５Ｃが取り付けられた引き戸を開閉する際には、図１１（ｂ）に示す如く手１０を、所望する単一の操作部７の膨出部７ｂに添えて、引き戸１Ｂを開く方向または閉じる方向に押圧すればよい。本実施の形態は、膨出部７ｂの直径を大きくしているので、子供や老人等のように握力の弱い人でも、膨出部７ｂを把握することなく、引き戸１Ｂの開閉操作を容易に行える。また、操作部７の膨出部７ｂは、芯部８の膨出部８ａよりも十分に大きいので、使用者が不用意にぶつかっても安全である。
【００３０】
本発明は、前記実施の形態および変形例に限定されるものではない。例えば、図１３に示す如く、取付部６の全面も操作部７を構成する材料で被覆することも可能である。かかる場合には、取付部６は被覆されて露出しないため、金属製であってもよい。また、芯部８も針金等の金属製であってもよい。
【００３１】
また、操作部７が適度の引っ張り強度と復元力を有する場合には、操作部７と取付部６とを一体成形して、芯部８を省略することも可能である。
【００３２】
さらに、取付部６の形状は、矩形状に限らず、円形状や三角形状等の任意の形状とすることができる。
【図面の簡単な説明】
【００３３】
【図１】本発明に係る実施の形態１のドア取っ手の要部を示す断面図である。
【図２】同引き用のドア取っ手を示し、（ａ）は側面図、（ｂ）は正面図である。
【図３】同押し用のドア取っ手を示し、（ａ）は側面図、（ｂ）は正面図である。
【図４】同引き用のドア取っ手および押し用のドア取っ手を、開き戸に取り付けた状態の断面図である。
【図５】同引き用のドア取っ手および押し用のドア取っ手の使用状態を示す断面図である。
【図６】（ａ）は同押し用のドア取っ手の使用状態を示す斜視図、（ｂ）は同引き用のドア取っ手の使用状態を示す斜視図である。
【図７】同引き用のドア取っ手および押し用のドア取っ手を開き戸に使用した斜視図である。
【図８】本発明に係る実施の形態１のドア取っ手の変形例を示し、（ａ）は側面図、（ｂ）は斜視図である。
【図９】同引き用のドア取っ手および押し用のドア取っ手の使用状態を示す断面図である。
【図１０】本発明に係る実施の形態２のドア取っ手を示し、（ａ）は側面図、（ｂ）は正面図である。
【図１１】（ａ）は同ドア取っ手の要部断面図、（ｂ）は同ドア取っ手の使用状態を示す断面図である。
【図１２】同ドア取っ手を引き戸に使用した斜視図である。
【図１３】本発明に係る実施の形態１のドア取っ手の他の変形例を示す要部断面図である。
【符号の説明】
【００３４】
１Ａ    開き戸
１Ｂ    引き戸
６      取付部
７      操作部
７ａ    脚部
７ｂ    膨出部
【図１】
2005273263.tif 000003
【図２】
2005273263.tif 000004
【図３】
2005273263.tif 000005
【図４】
2005273263.tif 000006
【図５】
2005273263.tif 000007
【図６】
2005273263.tif 000008
【図７】
2005273263.tif 000009
【図８】
2005273263.tif 000010
【図９】
2005273263.tif 000011
【図１０】
2005273263.tif 000012
【図１１】
2005273263.tif 000013
【図１２】
2005273263.tif 000014
【図１３】
2005273263.tif 000015